(57)【特許請求の範囲】
【請求項１】
相互に重ねられた少なくとも一対の被締結部材同士を貫通する軸部の一方の端部に頭部が設けられるとともに、軸部の他方の端部に断面多角形柱状のチャッキング部が設けられており、さらに、軸部には、チャッキング部に連続して、それぞれが同方向に沿った一対のネジ溝部が切断用溝部を介して設けられるとともに、一対のネジ溝部に連続して、これら一対のネジ溝部とは逆方向に沿った逆ネジ溝部が設けられているボルトと、このボルトにおける一対のネジ溝部にネジ結合されて、一方の被締結部材に圧接される締め付けナットと、前記ボルトにおける頭部に近接した軸部に嵌合されており、チャッキング部側の端部から順次拡開し得るように、複数のスリットが軸方向に沿ってそれぞれ設けられた開脚カラーと、前記ボルトの軸部に、この開脚カラーに連続して嵌合されており、拡開された開脚カラー内に挿入された状態で、被締結部材の表面に圧接されることにより押しつぶされるようになった樹脂製のインサートと、を具備してなり、締め付けナットを回り止めした状態でボルトを回転させて締め付けナットを被締結部材に圧接させ、開脚カラーおよびインサートを被締結部材に圧接させてインサートを押しつぶすとともに、開脚カラーの先端部を拡開して被締結部材に圧接させる一方、締め付けナットがボルトの逆ネジ溝部に達して係止された際になおもボルトを回転させて締め付けナットを越えて上方に位置する切断用溝部において切断することを特徴とする締結具。
【発明の詳細な説明】
【０００１】
【発明の属する技術分野】
本発明は、建物の外壁を構成するサイディング板同士を相互に重ね合わせた状態で締結するため、あるいは、屋根を構成する波形状の折板の端部同士を相互に重ね合わせた状態で締結するため等に使用される締結具に関する。
【０００２】
【従来の技術】
屋根を構成する一対の波形状に構成された折板の端部同士を、相互に重ね合わせた状態で締結するために、例えば、ブラインドボルトと締め付けナットと、ブラインドボルトの軸部に嵌合された開脚カラーおよび樹脂製のインサートとを有する締結具が使用される。このような締結具は、開脚カラーおよび樹脂製のインサートが、ブラインドボルトの頭部に近接した軸部に、順番に嵌合される。開脚カラーには、頭部の遠方側に位置する先端側部分には、先端側に開口した複数のスリットが、軸方向に沿った状態でそれぞれ設けられている。
【０００３】
このような締結具では、ブラインドボルトに、開脚カラーおよび樹脂製のインサートを順番に嵌合させた状態で、相互に重ね合わされた一対の折板の端部にブラインドボルトを貫通させて、ブラインドボルトに締め付けナットがネジ結合される。そして、締め付けナットを回り止めした状態でブラインドボルトを回転させて、締め付けナットを締め付けることにより、締め付けナットは、一方の折板の表面に圧接される。このような状態で、さらにブラインドボルトを回転させると、ブラインドボルトの頭部が折板に接近するようにスライドされる。これにより、開脚カラーおよび樹脂製のインサートが、ブラインドボルトの頭部と折板の表面との間にて圧縮された状態になり、開脚カラーは、樹脂製のインサートに圧接されている先端側から、順次拡開されて、インサートを内部に挿入した状態で、折板の表面に押し付けられる。このような状態で、さらに、ブラインドボルトを回転させると、樹脂製のインサートは、開脚カラーに挿入された状態で、折板の表面に強く圧接されて、押しつぶされた状態になる。これにより、相互に重ね合わされた一対の折板の端部同士が、強く締結される。
【０００４】
【発明が解決しようとする課題】
このような構成の締結具では、締め付けナットを締め付けることによって、折板の表面に樹脂製のインサートが、押しつぶされた状態で強く圧接されている。そして、締め付けナットをさらに強く締め付けると、樹脂製のインサートは、さらに、強く折板の表面に圧接されることになる。このように、締め付けナットは、締め付けに要するトルクを大きくすれば、さらに締め付けることができるために、緩み止めされた状態で安定的に固定することができないという問題があり、振動等によって緩んで脱落するおそれがある。
【０００５】
また、締め付けナットに対してブラインドボルトを回転させることによって、ブラインドボルトの軸部における締め付けナットからの突出量が大きくなる。このように、締め付けナットからブラインドボルトの軸部が大きく突出した状態では、外観性が悪く、しかも、人が通行するようなところにて使用すれば、突出したブラインドボルトの軸部先端にて人が傷つけられるおそれもある。
【０００６】
本発明は、このような問題を解決するものであり、その目的は、少なくとも一対の被締結部材同士を、確実に緩み止めした状態で強固に締結することができ、しかも、外観性に優れるとともに、人が通行するような場所においても安全に使用することができる締結具を提供することにある。
【０００７】
【課題を解決するための手段】
本発明の締結具は、相互に重ねられた少なくとも一対の被締結部材同士を貫通する軸部の一方の端部に頭部が設けられるとともに、軸部の他方の端部に断面多角形柱状のチャッキング部が設けられており、さらに、軸部には、チャッキング部に連続して、それぞれが同方向に沿った一対のネジ溝部が切断用溝部を介して設けられるとともに、一対のネジ溝部に連続して、これら一対のネジ溝部とは逆方向に沿った逆ネジ溝部が設けられているボルトと、このボルトにおける一対のネジ溝部にネジ結合されて、一方の被締結部材に圧接される締め付けナットと、前記ボルトにおける頭部に近接した軸部に嵌合されており、チャッキング部側の端部から順次拡開し得るように、複数のスリットが軸方向に沿ってそれぞれ設けられた開脚カラーと、前記ボルトの軸部に、この開脚カラーに連続して嵌合されており、拡開された開脚カラー内に挿入された状態で、被締結部材の表面に圧接されることにより押しつぶされるようになった樹脂製のインサートと、を具備してなり、締め付けナットを回り止めした状態でボルトを回転させて締め付けナットを被締結部材に圧接させ、開脚カラーおよびインサートを被締結部材に圧接させてインサートを押しつぶすとともに、開脚カラーの先端部を拡開して被締結部材に圧接させる一方、締め付けナットがボルトの逆ネジ溝部に達して係止された際になおもボルトを回転させて締め付けナットを越えて上方に位置する切断用溝部において切断することを特徴とする。
【０００８】
【発明の実施の形態】
以下、本発明の実施の形態を、図面に基づいて説明する。図１は、本発明の締結具の実施の形態の一例を示す分解斜視、図２は、その締結具を組み立てた状態の正面図である。
【０００９】
この締結具１０は、一対の被締結部材として、例えば波形に構成された一対の折板２０の端部同士を締結するために使用され、軸部１１ａの一方の端部に頭部１１ｂが設けられたボルト１１と、ボルト１１にネジ結合される締め付けナット１２とを有している。
【００１０】
本発明の締結具１０によって相互に対決される一対の折板２０は、断面台形状になった波部が連続して設けられており、それぞれの端部同士が、嵌合状態で相互に重ねられている。そして、相互に重ねられた折板２０の端部には、貫通孔２１がそれぞれ設けられており、折板２０の端部同士が相互に重ねられた際に、各貫通孔２１同士が整合状態で対向するようになっている。ボルト１１は、一対の折板２０の端部同士が重ね合わされて整合状態になった各貫通孔２１内に挿通されるようになっている。
【００１１】
図３は、ボルト１１の正面図である。このボルト１１は、直線状になった軸部１１ａと、この軸部１１ａの一方の端部に設けられた円錐台形状の頭部１１ｂと、軸部１１ａの他方の端部に設けられた四角柱状のチャッキング部１１ｃとを有している。頭部１１ｂは、軸部１１ａに近接した端部が一定の外径になっており、その端部を除いて、軸部１１ａから離れるにつれて順次外径が小さくなっている。
【００１２】
軸部１１ａの先端部に設けられた断面正方形状のチャッキング部１１ｃは、断面における各対角線が、軸部１１ａの直径に沿っており、しかも、各対角線の長さが軸部１１ａの直径に等しくなっている。チャッキング部１１ｃの各コーナー部には締め付けナット１２がネジ結合されるネジ溝部１１ｄが、それぞれ形成されている。
【００１３】
軸部１１ａにおけるチャッキング部１１ｃに近接した端部には、締め付けナット１２がネジ結合されるネジ溝部１１ｅが適当な長さにわたって設けられており、また、このネジ溝部１１ｅには、切断用溝部１１ｆを介して、締め付けナット１２がネジ結合されるように同方向に沿ったネジ溝部１１ｇが、連続して設けられている。そして、この軸部１１ａの中央部に設けられたネジ溝部１１ｇに連続して、そのネジ溝部１１ｇとは逆方向に沿った逆ネジ溝部１１ｈが設けられている。軸部１１ａにおける頭部１１ｂに近接した端部外周面には、適当な長さにわたって、ネジ溝が設けられていない。
【００１４】
図１および図２に示すように、ボルト１１の軸部１１ａには、頭部１１ｂに近接した端部に、ステンレス鋼等の金属によって構成された開脚カラー１３が嵌合されている。この開脚カラー１３は、ステンレス等の金属によって円筒状に構成されており、その周面には、一方の端縁に開口した４つのスリット１３ａが、周方向に等しい間隔をあけて形成されている。各スリット１３ａの内奥部における間隔は、それぞれ広がった状態になっている。開脚カラー１３は、各スリット１３ａの開口部が位置する端部が、ボルト１１の頭部１１ｂの遠方側に位置するように、ボルト１１の軸部１１ａに嵌合されている。
【００１５】
ボルト１１の軸部１１ａには、開脚カラー１３に連続して、合成樹脂製のインサート１４が嵌合されている。このインサート１４は、円筒状をしており、一方の端部にフランジ部１４ａが形成されている。そして、フランジ部１４ａがボルト１１の頭部１１ｂの遠方側に位置された状態で、インサート１４がボルト１１の軸部１１ａに嵌合されている。
【００１６】
ボルト１１は、開脚カラー１３およびインサート１４を、軸部１１ａに連続して嵌合させた状態で、各折板２０にそれぞれ設けられた貫通孔２１に挿通される。
【００１７】
ボルト１１の軸部１１ａには、防水パッキン１５が嵌合されている。防水パッキン１５は、ゴム等の弾性体によって円板状に構成されており、その中心部をボルト１１の軸部１１ａが挿通している。
【００１８】
さらに、防水パッキン１５から突出したボルト１１の軸部１１ａには、ステンレス鋼板等の金属板によって構成された絞りワッシャー１６が嵌合されている。絞りワッシャー１６は、防水パッキン１５よりも大径の円板状であって、防水パッキン１５を覆うように、中心側になるにつれて順次防水パッキン１５から離れる方向に突出した円錐台形状に構成されている。
【００１９】
絞りワッシャー１６から突出したボルト１１の軸部１１ａには、締め付けナット１２がネジ結合されている。締め付けナット１２としては、通常の六角ナットが使用されている。
【００２０】
このような構成の締結具１０は、次のように使用される。まず、一対の折板２０の端部同士が相互に重ねられて、各折板２０の端部に設けられた貫通孔２１同士が整合状態とされる。次いで、ボルト１１の軸部１１ａに、開脚カラー１３およびインサート１４を順番に嵌合させる。
【００２１】
さらに、ボルト１１の軸部１１ａに、防水パッキン１５および絞りワッシャー１６が、順番に嵌合される。そして、締め付けナット１２が、ボルト１１のチャッキング部１１ｃに設けられた各ネジ溝部１１ｄにネジ結合される。
【００２２】
このような状態になると、一対の折板２０の端部に設けられて整合状態の貫通孔２１に挿入されたボルト１１のチャッキング部１１ｃが、締め付けナット１２をスパナ等の工具によって回り止めした状態で、適当な特殊工具によってクランプされて回転される。これにより、締め付けナット１２が、ボルト１１のネジ溝部１１ｅに対して、順次、ネジ送りされて、絞りワッシャー１６に当接し、絞りワッシャー１６および防水パッキン１５を介して、一方の折板２０の表面に圧接される。
【００２３】
その後、さらに、締め付けナット１２を回り止めした状態でボルト１１を回転して、締め付けナット１２をねじ込むと、ボルト１１の頭部１１ｂが、締め付けナット１２に接近するように、ボルト１１全体がスライドされ、インサート１４のフランジ部１４ａが、折板２０の表面に強く圧接された状態になる。このような状態で、さらに、締め付けナット１２を回り止めして、ボルト１１を回転させて締め付けナット１２を締め込むと、ボルト１１の軸部１１ａに嵌合された開脚カラー１３およびインサート１４が折板２０に圧接され、開脚カラー１３の先端部が拡開されてインサート１４が開脚カラー１３内に嵌合される。
【００２４】
このような状態で、ボルト１１の回転によって、締め付けナット１２をさらに締め付けると、開脚カラー１３における基端部によって、樹脂製のインサート１４のフランジ部１４ａが、折板２０の表面に圧接され、図４に示すように、樹脂製のインサート１４は、開脚カラー１３の内周面と、折板２０とによって圧縮されて、外側に膨出した状態に押しつぶされる。その後も、締め付けナット１２の締め付けを継続すると、開脚カラー１３における先端部が折板２０に圧接された状態になる。
【００２５】
このような状態では、締め付けナット１２は、ボルト１１のネジ溝部１１ｅ部分および切断用溝部１１ｆを通過して、軸部１１ａの中央部のネジ溝部１１ｇにネジ結合された状態になる。そして、このような状態で、さらに、ボルト１１の回転によって、締め付けナット１２を締め付けると、締め付けナット１２は、ボルト１１における軸部１１ａに設けられた切断用溝部１１ｆを乗り越えて、ネジ溝部１１ｇにネジ結合され、さらに、逆ネジ溝部１１ｈに達する。これにより、締め付けナット１２は、逆ネジ溝部１１ｈに係止した状態になり、ボルト１１に対して回転されないようにロックされて、ボルト１１と一体化される。
【００２６】
このように、締め付けナット１２がボルト１１と一体化された状態で、さらにボルト１１の回転によって、締め付けナット１２に対して回転力を加えると、特殊工具によって回り止めされたボルト１１における切断用溝部１１ｆよりも先端側部分と、切断用溝部１１ｆよりも頭部１１ｂに近接した軸部１１ａにおいて締め付けナット１２がネジ結合された部分との間に大きな剪断力が加わり、ボルト１１は、図５に示すように、切断用溝部１１ｆ部分にて切断される。
【００２７】
ボルト１１における軸部１１ａの先端部が切断された締結具１０は、開脚カラー１３によって折板２０に強く圧接されたインサート１４と、締め付けナット１２によって折板２０に強く圧接された防水パッキン１５とによって、相互に重ねられた折板２０同士が強固に圧接されている。しかも、締め付けナット１２は、ボルト１１の軸部１１ａにおける逆ネジ溝部１１ｈにてロックされているために、振動等によって緩むおそれがなく、長期にわたって、各折板２０同士を安定的に締結することができる。
【００２８】
しかも、ボルト１１の軸部１１ａは、先端側部分が取り除かれているために、締め付けナット１２からのボルト１１の軸部１１ａの突出長さが短くなっており、従って、相互に締結された折板２０の外観性が著しく向上する。また、このように、ボルト１１の締め付けナット１２からの突出長さが短くなっているために、人が通行するような場所において、建物の外壁を構成するサイディング板同士を相互に重ね合わせた状態で締結するために使用しても、ボルト１１の軸部１１ａ先端部によって、通行人が傷付けられるおそれがなく、安全に使用することができる。
【００２９】
【発明の効果】
本発明の締結具は、このように、被締結部材同士を確実に緩み止めした状態で、強固に締結することができる。しかも、被締結部材を締結した状態では、締め付けナットからのボルトの軸部の突出量が小さくなり、外観性および安全性が著しく向上する。
【図面の簡単な説明】
【図１】  本発明の締結具の実施の形態の一例を分解して示す斜視図である。
【図２】  その締結具を組み立てた状態の正面図である。
【図３】  その締結具に使用されるボルトの正面図である。
【図４】  その締結具によって折板同士を締結する際の一工程を示す正面図である。
【図５】  その締結具によって折板同士を締結した状態を示す正面図である。
【符号の説明】
１０  締結具
１１  ボルト
１１ａ  軸部
１１ｂ  頭部
１１ｃ  チャッキング部
１１ｄ  ネジ溝部
１１ｅ  ネジ溝部
１１ｆ  切断用溝部
１１ｇ  ネジ溝部
１１ｈ  逆ネジ溝部
１２  締め付けナット
１３  開脚カラー
１４  インサート
１５  防水パッキン
１６  絞りワッシャー
２０  折板
２１  貫通孔
【図１】
0003834442.tif 000002
【図２】
0003834442.tif 000003
【図３】
0003834442.tif 000004
【図４】
0003834442.tif 000005
【図５】
0003834442.tif 000006